(57)【特許請求の範囲】
【請求項１】
タイムコードにより作動する主機制御装置と，タイムコードにより作動する補助機制御装置と，前記主機制御装置および前記補助機制御装置にタイムコードを供給するタイムコード発生装置とによりプラネタリウムを演出するプラネタリウム自動演出装置において，前記主機制御装置は，
前記タイムコード発生装置からのタイムコードと無関係な動作をするための自己モード制御手段と，
前記タイムコード発生装置からのタイムコードに基づいて番組演出を実行するための読み取りモード制御手段とを有し，
前記自己モード制御手段による動作に，
動作開始時に前記タイムコード発生装置に対しタイムコードの発生開始を指示する開始指示動作と，
前記読み取りモード制御手段での一連の番組演出が終了してから所定時間経過後に前記タイムコード発生装置に対しタイムコードの発生再開を指示する再開指示動作とが含まれることを特徴とするプラネタリウム自動演出装置。
【請求項２】
請求項１に記載するプラネタリウム自動演出装置において，
前記自己モード制御手段は，前記再開指示動作を，オペレータの操作により変更されたタイミングで行うことを特徴とするプラネタリウム自動演出装置。
【請求項３】
タイムコードにより作動する主機制御装置と，タイムコードにより作動する補助機制御装置と，前記主機制御装置および前記補助機制御装置にタイムコードを供給するタイムコード発生装置とによりプラネタリウムを演出するプラネタリウム自動演出プログラムにおいて，
前記主機制御装置に，
前記タイムコード発生装置からのタイムコードと無関係な自己モード機能と，
前記タイムコード発生装置からのタイムコードに基づいて番組演出を実行するための読み取りモード機能とを実現させ，
前記自己モード機能での前記主機制御装置に，
動作開始時に前記タイムコード発生装置に対しタイムコードの発生開始を指示する開始指示手順と，
前記読み取りモード機能での一連の番組演出が終了してから所定時間経過後に前記タイムコード発生装置に対しタイムコードの発生再開を指示する再開指示手順とを実行させることを特徴とするプラネタリウム自動演出プログラム。
【請求項４】
請求項３に記載するプラネタリウム自動演出プログラムにおいて，
前記自己モード機能での前記主機制御装置に，前記再開指示手順を，オペレータの操作により変更されたタイミングで行わせることを特徴とするプラネタリウム自動演出プログラム。
【発明の詳細な説明】
【０００１】
【発明の属する技術分野】
本発明は，プラネタリウムを自動的に演出するプラネタリウム自動演出装置およびそのプログラムに関する。本明細書において，プラネタリウムとは，ドーム型スクリーンに映像を投映する設備をいい，その映像の内容は星野に限らずエンターテインメント的なものであってもよいものとする。
【０００２】
【従来の技術】
プラネタリウムには，ドーム型スクリーンのほぼ全面への投映を担当する主投映機と，部分的な投映を担当する補助投映機群とをそれぞれの制御装置で制御するタイプのものがある。そのようなプラネタリウムを自動演出する場合，従来一般的には，タイムコード発生装置からのタイムコードにより，主投映機の制御装置（主機制御装置）と補助投映機群の制御装置（補機助制御装置）とを同期させるようにしている。上映に際しては，オペレータが主機制御装置を始動させると，主機制御装置からタイムコード発生装置に対し開始指示が出され，自動演出番組が始まるようになっている。番組が終了すると，タイムコードの発生は停止され，タイムコード発生装置の巻き戻しが行われる。
【０００３】
【発明が解決しようとする課題】
しかしながら，前記した従来の技術では，次のような問題点があった。すなわち，タイムコードに基づく番組が終了した後で再びその番組を上映しようとすると，あらためてオペレータによる手動操作が必要であり，煩雑である。タイムコード発生装置自体に自動反復機能を組み込んでおくことによる解決も可能だが，それでは番組再開のタイミングが固定となってしまう。
【０００４】
本発明は，前記した従来の技術が有する問題点を解決するためになされたものである。すなわちその課題とするところは，２回目以降の番組開始を手動操作なく自動で実行でき，さらにそのタイミングを調節できるプラネタリウム自動演出装置およびそのプログラムを提供することにある。
【０００５】
【課題を解決するための手段】
この課題の解決を目的としてなされた本発明のプラネタリウム自動演出装置は，タイムコードにより作動する主機制御装置と，タイムコードにより作動する補助機制御装置と，主機制御装置および補助機制御装置にタイムコードを供給するタイムコード発生装置とによりプラネタリウムを演出する装置であって，主機制御装置は，タイムコード発生装置からのタイムコードと無関係な動作をするための自己モード制御手段と，タイムコード発生装置からのタイムコードに基づいて番組演出を実行するための読み取りモード制御手段とを有し，自己モード制御手段による動作に，動作開始時にタイムコード発生装置に対しタイムコードの発生開始を指示する開始指示動作と，読み取りモード制御手段での一連の番組演出が終了してから所定時間経過後にタイムコード発生装置に対しタイムコードの発生再開を指示する再開指示動作とが含まれるものである。
【０００６】
すなわち本発明のプラネタリウム自動演出装置では，タイムコード発生装置からのタイムコードに基づいて，主機制御装置と補助機制御装置とが同期して動作することにより，プラネタリウムにおいて番組を自動的に演出する。自動演出中における主機制御装置の動作モードは，タイムコード発生装置からのタイムコードに従う読み取りモードである。番組の開始，すなわちタイムコード発生装置によるタイムコードの発生開始は，主機制御装置からの開始指示による。主機制御装置の，始動からタイムコード発生装置のタイムコードを受け取るまでの間の動作モードは，自己モードである。タイムコード発生装置への開始指示は，この自己モードの間になされる。
【０００７】
自動演出による番組が終了すると，タイムコード発生装置はタイムコードの発生を停止する。すると主機制御装置は，読み取りモードから自己モードに戻る。そして，この自己モードにおいて主機制御装置は，番組終了から所定時間経過後にタイムコード発生装置に対し再開指示を出す。これにより，オペレータがあらためて手動操作を行うことなく，番組の自動演出が再開される。この再開指示は，制御プログラムの実行行を先頭行に戻すことにより可能である。
【０００８】
さらに，本発明のプラネタリウム自動演出装置では，自己モード制御手段は，前記再開指示動作を，オペレータの操作により変更されたタイミングで行うことが好ましい。このようにすると，番組間の待ち時間を設備側の都合に合わせて自由に調節できる。
【０００９】
そして本発明は，タイムコードにより作動する主機制御装置と，タイムコードにより作動する補助機制御装置と，主機制御装置および補助機制御装置にタイムコードを供給するタイムコード発生装置とによりプラネタリウムを自動的に演出するプログラムであって，主機制御装置に，タイムコード発生装置からのタイムコードと無関係な自己モード機能と，タイムコード発生装置からのタイムコードに基づいて番組演出を実行するための読み取りモード機能とを実現させ，自己モード機能での主機制御装置に，動作開始時にタイムコード発生装置に対しタイムコードの発生開始を指示する開始指示手順と，読み取りモード機能での一連の番組演出が終了してから所定時間経過後にタイムコード発生装置に対しタイムコードの発生再開を指示する再開指示手順とを実行させるプラネタリウム自動演出プログラムにも及ぶものとする。かかるプログラムにより，既設のプラネタリウムをも前述のように演出することができる。この場合の再開指示手順は，具体的には，プログラムの実行行を先頭行に戻すことにより実現できる。
【００１０】
この場合でも，自己モード機能での前記主機制御装置に，再開指示手順を，オペレータの操作により変更されたタイミングで行わせることが好ましいことはもちろんである。
【００１１】
【発明の実施の形態】
以下，本発明を具体化した実施の形態について，添付図面を参照しつつ詳細に説明する。
【００１２】
まず，本実施の形態に係るプラネタリウム自動演出装置のブロック構成を説明する。本実施の形態に係るプラネタリウム自動演出装置は，図１のブロック図に示すように，プラネタリウム主制御装置１を中心に構成されており，さらに，タイムコード発生装置２，タイムコード分配器３，補助投映機群制御装置４を備えている。かかるプラネタリウム自動演出装置によって制御されるプラネタリウムは，主投映機５の他に補助投映機群６を備えている。主投映機５は，星野など，ドーム型スクリーンのほぼ全体に対する映像の投映を担当するものである。これに対し補助投映機群６は，地平付近の風景など，部分的な映像の投映を担当するものである。
【００１３】
プラネタリウム主制御装置１（「ＣＡＰ」と通称される）は，主投映機５を制御する役割の他，タイムコード発生装置２の動作を司る役割を担っている。このためプラネタリウム主制御装置１は，プラネタリウムの自動演出の根幹をなす装置であるといえる。また，プラネタリウムに対するオペレータによる操作は，基本的にはプラネタリウム主制御装置１で受け付けるようになっている。プラネタリウム主制御装置１からタイムコード発生装置２への指示信号Ｓには，スタート，ストップ，リワインド，の３種類がある。また，プラネタリウム主制御装置１の動作モードには，読み取りモード（以下，Ｒモードという）と，自己モード（以下，Ｇモードという）との２種類のモードがある。Ｒモードは，外部（すなわちタイムコード発生装置２）からのタイムコードＴを読み取ってそれに従いつつ動作するモードである。一方，Ｇモードは，自己の内部で発生する内部タイムコードに従って動作するモードである。
【００１４】
タイムコード発生装置２は，プラネタリウム主制御装置１と補助投映機群制御装置４との同期をとるためのタイムコードＴを発生するものである。このためタイムコード発生装置２では，タイムコードＴを記録したテープを再生することにより，タイムコードＴを発生するようにしている。そのテープには，自動演出番組の音声も記録されている。タイムコード分配器３は，タイムコード発生装置２が発生したタイムコードＴをプラネタリウム主制御装置１と補助投映機群制御装置４とに分配するものである。これにより，プラネタリウム主制御装置１と補助投映機群制御装置４とを同期させるようにしている。補助投映機群制御装置４は，タイムコードＴに基づいて補助投映機群６を制御するものである。
【００１５】
図１のプラネタリウム自動演出装置において，プラネタリウム主制御装置１には，図２に例示するような自動演出プログラムが内蔵されている。図２のうち中央の矢印部分より左側がプログラムの構造である。矢印部分の右側は，プログラムの各行ごとの，タイムコード発生装置２，プラネタリウム主制御装置１，および補助投映機群制御装置４の動作の概略である。
【００１６】
すなわちこのプログラムの１行目には，初期設定コマンドが記載されている。これは，主投映機５の軸位置やランプの状態を初期化する制御を行うように指示するコマンドである。その実施タイミングは，プログラム開始から１０秒後である。
【００１７】
プログラムの２行目には，タイムコード開始コマンドが記載されている。これは，タイムコード発生装置２に対して「スタート」の指示信号Ｓを出すように指示するコマンドである。これにより，タイムコード発生装置２がタイムコードＴの発生を開始することとなる。これに伴い補助投映機群制御装置４も動作を開始することとなる。このコマンドの実施タイミングは，プログラム開始から１５秒後である。
【００１８】
プログラムの３行目には，Ｒモード移行コマンドが記載されている。これは，動作モードをＧモードからＲモードに変更するように指示するコマンドである。その実施タイミングは，プログラム開始から２０秒後である。
【００１９】
プログラムの４行目には，各種の映写コマンドが記載されている。これは，番組の内容に相当する各種の投映動作を主投映機５が行うための制御を行うように指示するコマンドである。その実施タイミングは，プログラム開始から２５秒後である。これにより，主投映機５がドーム型スクリーンに対し各種の映像を投映することとなる。またこのとき，補助投映機群制御装置４もこれに同期して補助投映機群６を制御することとなる。タイムコード発生装置２からタイムコードＴが補助投映機群制御装置４にも供給されるからである。これにより，補助投映機群６がドーム型スクリーンに対し各種の部分的な映像を投映することとなる。
【００２０】
プログラムの５行目には，Ｇモード移行コマンドが記載されている。これは，動作モードをＲモードからＧモードに変更するように指示するコマンドである。その実施タイミングは，プログラム開始から３０分後である。
【００２１】
プログラムの６行目には，タイムコード停止コマンドが記載されている。これは，タイムコード発生装置２に対して「ストップ」の指示信号Ｓを出すように指示するコマンドである。これにより，タイムコード発生装置２がタイムコードＴの発生を停止することとなる。これに伴い補助投映機群制御装置４も動作を停止することとなる。このコマンドの実施タイミングは，プログラム開始から３０分１０秒後である。
【００２２】
プログラムの７行目には，タイムコード巻き戻しコマンドが記載されている。これは，タイムコード発生装置２に対して「リワインド」の指示信号Ｓを出すように指示するコマンドである。これによりタイムコード発生装置２が，タイムコードＴの記録されているテープを巻き戻すこととなる。このコマンドの実施タイミングは，プログラム開始から３０分２０秒後である。
【００２３】
プログラムの８行目には，ジャンプコマンドが記載されている。ジャンプ先は同じプログラムの１行目である。これにより，オペレータの手動操作なくして番組が再度自動で上映されることとなる。このコマンドの実施タイミングは，プログラム開始から３０分３０秒後であるが，オペレータの操作により変更可能である。なお，図２では，８行目にのみ「可変」との注釈を付しているが，これは，他の行が可変でないことを意味するものではない。
【００２４】
図２のようなプログラムは，プラネタリウムで上映する番組ごとに存在している。４行目のコマンドの実施タイミングから５行目のコマンドの実施タイミングまでの時間差は，番組の所要時間に依存する。
【００２５】
次に，上記のプラネタリウム自動演出装置によるプラネタリウムの動作を，図３のタイミングチャートにより説明する。図３では，時の経過に沿って左から右へと各部の動作状況を記載している。図中の丸数字は図２のプログラム中の行番号に対応している。すなわち，最初にオペレータが，プラネタリウムの番組を呼び出す操作をプラネタリウム主制御装置１に対して行うことにより，プラネタリウムの稼働が開始する。これにより図２のプログラムが走り始める（１回目）。このときプラネタリウム主制御装置１の動作モードはＧモードである。そして，プログラムの１行目の初期設定コマンドにより，主投映機５の初期化が行われる。これにより，番組の上映が可能な状態となる。
【００２６】
そして，プログラムの２行目の開始コマンドにより，タイムコード発生装置２がタイムコードＴの発生を開始する。これにより補助投映機群６も動作状態となる。そして，プログラムの３行目の移行コマンドにより，プラネタリウム主制御装置１の動作モードがＧモードからＲモードに移行する。これにより，主投映機５と補助投映機群６との動作が同期した状態となる。この状態で，プログラムの４行目の各種映写コマンドにより，プラネタリウムの１回目の番組上映がなされる。なお，タイムコード発生装置２からは音声信号も発生される。これにより，場内にアナウンスやＢＧＭ，効果音などが流される。
【００２７】
番組が終了すると，プログラムの５行目の移行コマンドにより，プラネタリウム主制御装置１の動作モードがＲモードからＧモードに移行する。これにより，タイムコード発生装置２を停止させてもプラネタリウム主制御装置１の動作の続行が可能な状態となる。そして，プログラムの６行目の停止コマンドにより，タイムコード発生装置２がタイムコードＴの発生を停止する。これにより補助投映機群６の動作も停止する。さらに，プログラムの７行目の巻き戻しコマンドにより，タイムコード発生装置２がテープの巻き戻しを行う。次回の上映に備えるためである。
【００２８】
そして，プログラムの８行目のジャンプコマンドにより，再び当該プログラムの１行目が実行行となる。このため，オペレータがあらためて番組呼び出し操作をしなくても，再び１行目以下の各コマンドが順次実施される。これにより，プラネタリウムの２回目の番組上映が自動的に行われる。３回目以降も同様である。従来のプラネタリウムの演出装置では，図３中の「▲８▼」の箇所でその都度オペレータが番組呼び出し操作をする必要があったのである。本実施の形態ではこのような手間が排除されている。
【００２９】
さらに本実施の形態では，番組上映のインターバル時間を調整することが可能である。そのためにはプログラムの８行目のジャンプコマンドの実施タイミングを変更すればよい。これにより，例えばプラネタリウムの大きさ（座席数）や出入り口の広さや数といった設備的な要因に合わせてインターバル時間を調整することができる。また，その日の予想入場者数の多寡に合わせてインターバル時間を調整し，もってその日の上映回数を調整することもできる。ただし，プログラムの７行目の巻き戻しコマンドから，次回の２行目のスタートコマンドまでの待ち時間が，テープの巻き戻しに要する時間よりも短くなるようにすることはできない。
【００３０】
以上詳細に説明したように本実施の形態では，番組終了の都度あらためてオペレータが手動操作を行うことなく，自動的に番組の繰り返し上映をさせることができるプラネタリウム自動演出装置が実現されている。さらに，番組間のインターバル時間の調整をも可能としている。
【００３１】
なお，本実施の形態は単なる例示にすぎず，本発明を何ら限定するものではない。したがって本発明は当然に，その要旨を逸脱しない範囲内で種々の改良，変形が可能である。例えば，図２のプログラム中の４行目のところで，２以上の番組を続けて上映するようにしてもよい。この場合，当該２以上の番組のセットが自動的に繰り返し上映されることとなる。
【００３２】
【発明の効果】
以上の説明から明らかなように本発明によれば，２回目以降の番組開始を手動操作なく自動で実行でき，さらにそのタイミングを調節できるプラネタリウム自動演出装置およびそのプログラムが提供されている。
【図面の簡単な説明】
【図１】実施の形態に係るプラネタリウム自動演出装置のブロック構成図である。
【図２】実施の形態に係るプラネタリウム自動演出装置のプラネタリウム主制御装置に内蔵された自動演出プログラムの構成例を示す図表である。
【図３】実施の形態に係るプラネタリウム自動演出装置によるプラネタリウムの動作状況を示すタイミングチャートである。
【符号の説明】
１  プラネタリウム主制御装置（主機制御装置）
２  タイムコード発生装置
４  補助投映機群制御装置（補助機群制御装置）
【図１】
0004410948.tif 000002
【図２】
0004410948.tif 000003
【図３】
0004410948.tif 000004